(57)【要約】【課題】ＩＣチップを搭載した金券を処理して係員の手間を省くことができる金券処理装置の提供。【解決手段】金券１０を受け入れる金券受入部４０と、金券受入部４０に受け入れた金券に埋め込まれたＩＣチップから金券情報を読み込む読込手段４１と、商品の合計金額である商品合計金額の入力を受け付けるとともに、読込手段４１が読み込んだ金券情報から金券合計金額を算出し、金券合計金額が商品合計金額よりも大きいか否かを判断して、金券合計金額が商品合計金額よりも大きいと判断された場合に、金券合計金額から商品合計金額を減算した釣銭金額を算出する手段３５とを備える。【選択図】図１
2009070151.tif 000002
【特許請求の範囲】
【請求項１】
商品の合計金額である商品合計金額の入力を受け付ける商品金額入力手段と、
金券を受け入れる金券受入部と、
該金券受入部に受け入れた金券に埋め込まれたＩＣチップから金券情報を読み込む読込手段と、
該読込手段が読み込んだ金券情報から前記金券受入部に受け入れた金券の合計金額である金券合計金額を算出する金券金額算出手段と、
前記金券合計金額が前記商品合計金額よりも大きいか否かを判断する第１の判断手段と、
該第１の判断手段によって前記金券合計金額が前記商品合計金額よりも大きいと判断された場合に、前記金券合計金額から前記商品合計金額を減算した釣銭金額を算出する釣銭金額算出手段とを備えたことを特徴とする金券処理装置。
【請求項２】
前記読込手段が読み込んだ金券情報から金券の枚数を特定する金券枚数特定手段と、
ユーザによる金券の枚数の入力を受け付ける金券枚数入力手段と、
前記金券枚数特定手段によって特定された金券の枚数と、前記金券枚数入力手段によって入力された金券の枚数とが一致するか否かを判断する第２の判断手段とを備えたことを特徴とする請求項１に記載の金券処理装置。
【請求項３】
前記読込手段が読み込んだ金券情報から前記金券受入部に受け入れた金券の最小額面を特定する最小額面特定手段と、
前記釣銭金額算出手段によって算出された釣銭金額が、前記最小額面特定手段によって特定された最小額面よりも小さいか否かを判断する第３の判断手段とを備えたことを特徴とする請求項２に記載の金券処理装置。
【請求項４】
前記第３の判断手段によって前記釣銭金額が前記最小額面よりも小さいと判断された場合に、前記金券受入部に受け入れた金券を収納させる収納制御手段を有することを特徴とする請求項３に記載の金券処理装置。
【請求項５】
前記第３の判断手段によって前記釣銭金額が前記最小額面よりも小さいと判断された場合に、前記釣銭金額の釣銭を出金させる出金制御手段を有することを特徴とする請求項３または４に記載の金券処理装置。
【発明の詳細な説明】
【技術分野】
【０００１】
本発明は、ＩＣチップを搭載した金券を処理する金券処理装置に関する。
【背景技術】
【０００２】
デパート等での商品購入の際に貨幣に代えて用いることができる商品券やクーポン券等の金券が従来から使用されており、このような金券を取り扱うことができる自動釣銭機が開示されている（例えば、特許文献１参照）。この自動釣銭機とＰＯＳレジスタとを接続することによって、ＰＯＳレジスタを操作する係員の手間を省くことができる。
【特許文献１】特開２００７−３４５２３号公報
【発明の開示】
【発明が解決しようとする課題】
【０００３】
上記した自動釣銭機においては、金券の判別をその画像に基づいて行っているが、ＲＦＩＤ（Radio Frequency IDentification）の普及により、今後はＩＣチップを搭載した金券の流通も予想される。そのため、ＩＣチップを搭載した金券を処理して係員の手間を省くことができる金券処理装置が望まれる。
【０００４】
したがって、本発明は、ＩＣチップを搭載した金券を処理して係員の手間を省くことができる金券処理装置の提供を目的とする。
【課題を解決するための手段】
【０００５】
上記目的を達成するために、請求項１に係る発明は、商品の合計金額である商品合計金額の入力を受け付ける商品金額入力手段と、金券を受け入れる金券受入部と、該金券受入部に受け入れた金券に埋め込まれたＩＣチップから金券情報を読み込む読込手段と、該読込手段が読み込んだ金券情報から前記金券受入部に受け入れた金券の合計金額である金券合計金額を算出する金券金額算出手段と、前記金券合計金額が前記商品合計金額よりも大きいか否かを判断する第１の判断手段と、該第１の判断手段によって前記金券合計金額が前記商品合計金額よりも大きいと判断された場合に、前記金券合計金額から前記商品合計金額を減算した釣銭金額を算出する釣銭金額算出手段とを備えたことを特徴としている。
【０００６】
請求項２に係る発明は、請求項１に係る発明において、前記読込手段が読み込んだ金券情報から金券の枚数を特定する金券枚数特定手段と、ユーザによる金券の枚数の入力を受け付ける金券枚数入力手段と、前記金券枚数特定手段によって特定された金券の枚数と、前記金券枚数入力手段によって入力された金券の枚数とが一致するか否かを判断する第２の判断手段とを備えたことを特徴としている。
【０００７】
請求項３に係る発明は、請求項２に係る発明において、前記読込手段が読み込んだ金券情報から前記金券受入部に受け入れた金券の最小額面を特定する最小額面特定手段と、前記釣銭金額算出手段によって算出された釣銭金額が、前記最小額面特定手段によって特定された最小額面よりも小さいか否かを判断する第３の判断手段とを備えたことを特徴としている。
【０００８】
請求項４に係る発明は、請求項３に係る発明において、前記第３の判断手段によって前記釣銭金額が前記最小額面よりも小さいと判断された場合に、前記金券受入部に受け入れた金券を収納させる収納制御手段を有することを特徴としている。
【０００９】
請求項５に係る発明は、請求項３または４に係る発明において、前記第３の判断手段によって前記釣銭金額が前記最小額面よりも小さいと判断された場合に、前記釣銭金額の釣銭を出金させる出金制御手段を有することを特徴としている。
【発明の効果】
【００１０】
請求項１に係る発明によれば、金券が金券受入部に受け入れられると、受け入れた金券に埋め込まれたＩＣチップから読込手段が金券情報を読み込むことになり、この読み込んだ金券情報から、金券金額算出手段が金券合計金額を算出する。そして、第１の判断手段が、この金券合計金額と商品金額入力手段で受け付けた商品合計金額とを比較し、金券合計金額が商品合計金額よりも大きいと判断した場合に、釣銭金額算出手段が、金券合計金額から商品合計金額を減算した釣銭金額を算出する。したがって、係員が金券合計金額および釣銭を算出する必要がなくなり、係員の手間を省くことができる。
【００１１】
請求項２に係る発明によれば、読込手段によって読み込んだ金券情報から金券枚数特定手段が金券の枚数を特定すると、第２の判断手段が、この金券情報に基づく金券の枚数と金券枚数入力手段にユーザによって入力された金券の枚数とが一致するか否かを判断する。よって、金券の枚数が適正であるか否かを判断できる。
【００１２】
請求項３に係る発明によれば、読込手段によって読み込んだ金券情報から最小額面特定手段が、金券受入部に受け入れた金券の最小額面を特定すると、第３の判断手段が、釣銭金額算出手段によって算出された釣銭金額が、最小額面特定手段によって特定された最小額面よりも小さいか否かを判断するため、釣銭金額が最小額面より小さければ釣銭の支払いが適正であり、釣銭金額が最小額面以上であれば釣銭の支払いが適正でないと判断できる。
【００１３】
請求項４に係る発明によれば、第３の判断手段によって釣銭金額が最小額面よりも小さいと判断された場合に、収納制御手段が、金券受入部に受け入れた金券を収納することになる。よって、釣銭の支払いが適正であると判断したときのみ、金券を収納することができる。
【００１４】
請求項５に係る発明によれば、第３の判断手段によって釣銭金額が最小額面よりも小さいと判断された場合に、出金制御手段がこの釣銭金額の釣銭を出金させることになる。よって、釣銭の支払いが適正であると判断したときのみ、釣銭を出金させることができる。
【発明を実施するための最良の形態】
【００１５】
本発明の金券処理装置の一実施形態を図面を参照して以下に説明する。
金券１０を処理する金券処理装置の一実施形態である販売管理装置１１は、店舗に設置されて使用されるもので、金券１０の入金処理を行う金券入金処理部１２と、現金を釣銭として出金処理する現金出金処理部１３と、ＰＯＳレジスタ１４と、商品１５から商品情報を読み取る商品情報読取装置１６とを有している。
【００１６】
金券１０には、図２に示すようにＩＣチップ２０を含むＲＦＩＤタグ２１が埋め込まれており、例えば１００００円券、５０００円券、１０００円券等の複数の額面のものが取り扱い可能となっている。各ＩＣチップ２０には、それぞれ額面および金券識別番号を含む金券情報が読み込み可能に記憶されている。
【００１７】
商品１５にも、図３に示すようにＩＣチップ２４を含むＲＦＩＤタグ２５が埋め込まれており、各ＩＣチップ２４には、それぞれ商品の商品名、商品識別番号、品種、および値段等の商品情報が読み込み可能に記憶されている。
【００１８】
商品情報読取装置１６は、商品１５が、図１に示すように例えば所定のカゴ２７に入れられた状態で載置台２８上に載置されるもので、載置台２８には載置台２８上に載置されたカゴ２７内の各商品１５のＲＦＩＤタグ２５に対して通信して、各ＩＣチップ２４から商品１５の商品名および値段等の商品情報を読み取るＲＦＩＤリーダ２９と、ＲＦＩＤリーダ２９による情報読み取りを制御する読取制御部３０とが設けられている。読取制御部３０は、読み取った商品情報をＰＯＳレジスタ１４に出力する。
【００１９】
ＰＯＳレジスタ１４には、係員に対して情報を表示するとともに係員による操作入力を受け付けるタッチパネル方式の表示操作部３２、情報を記憶する記憶部３４およびＰＯＳレジスタ１４の各部を制御するレジ制御部３５が設けられている。ＰＯＳレジスタ１４は、複数のものが共通の管理サーバ３７に接続されており、この管理サーバ３７がすべての販売管理装置１１のＰＯＳレジスタ１４の情報を統合して管理する。なお、ＰＯＳレジスタ１４には、図示は略すが引き出し式の現金収納部が設けられている。
【００２０】
金券入金処理部１２は、外部に臨んで設けられ、係員によって挿入される金券１０を載置状態で受け入れる金券受入部４０と、金券受入部４０に載置された各金券１０に埋め込まれたＲＦＩＤタグ２１に対して通信して、各ＩＣチップ２０から金券情報を読み込むＲＦＩＤリーダ４１（読込手段）とを有している。また、金券入金処理部１２は、金券受入部４０に載置された金券１０を金券入金処理部１２内に送り出す送出部４２と、送出部４２で送り出された金券を収納する着脱可能な金券収納部４３と、金券入金処理部１２の各部を制御する金券入金制御部４４とを有している。
【００２１】
現金出金処理部１３は、硬貨の出金処理を行う硬貨出金処理機構４７と、紙幣の出金処理を行う紙幣出金処理機構４８とを有している。
【００２２】
硬貨出金処理機構４７は、硬貨を出金可能に収納する金種別の硬貨出金収納部５０と、硬貨出金収納部５０から出金された硬貨を識別する硬貨出金識別部５１と、硬貨出金識別部５１の識別結果に基づいて出金不可と識別された硬貨を収納する出金硬貨リジェクト（ＲＪ）部５２と、硬貨出金識別部５１の識別結果に基づいて出金可と識別された硬貨を外部に取り出し可能に出金する硬貨出金部５３と、硬貨出金処理機構４７の各部を制御する硬貨出金制御部５４とを有している。
【００２３】
紙幣入出金処理機構４８も、紙幣を出金可能に収納する金種別の紙幣出金収納部５６と、紙幣出金収納部５６から出金された紙幣を識別する紙幣出金識別部５７と、紙幣出金識別部５７の識別結果に基づいて出金不可と識別された紙幣を収納する出金紙幣リジェクト（ＲＪ）部５８と、紙幣出金識別部５７の識別結果に基づいて出金可と識別された紙幣を外部に取り出し可能に出金する紙幣出金部５９と、紙幣入出金処理機構４８の各部を制御する紙幣出金制御部６０とを有している。
【００２４】
そして、商品情報読取装置１６の読取制御部３０と、金券入金処理部１２の金券入金制御部４４と、現金出金処理部１３の硬貨出金制御部５４および紙幣出金制御部６０とが、ＰＯＳレジスタ１４のレジ制御部３５に接続されている。
【００２５】
次に、上記したレジ制御部３５の制御内容について図４〜図６のフローチャートを参照しつつ係員による処理の手順とともに説明する。
【００２６】
係員あるいは顧客が、商品１５をカゴ２７に入れた状態で商品情報読取装置１６の載置台２８に置く。ＰＯＳレジスタ１４の表示操作部３２の待機画面には、処理を開始するか否かの操作入力を促す表示が待機画面において表示されており（ステップＳ１）、係員は処理開始の操作入力を入力する。この操作入力を受けて（ステップＳ２）、ＰＯＳレジスタ１４のレジ制御部３５が、商品情報読取装置１６の読取制御部３０に読取指令信号を出力する（ステップＳ３）。これを受けて読取制御部３０はＲＦＩＤリーダ２９を駆動して、載置台２８上のカゴ２７内に入れられているすべての商品１５のＲＦＩＤタグ２５と通信し、すべてのＩＣチップ２４から商品情報を読み取って、商品情報から割り出される商品の合計金額である商品合計金額を算出し、すべての商品情報と商品合計金額とを関連付けしてレジ制御部３５に出力する。
【００２７】
このようにして読取制御部３０から出力された商品情報および商品合計金額を受け付けると（ステップＳ４）、レジ制御部３５（商品金額入力手段）は、表示操作部３２に、商品情報に含まれる商品名、商品識別番号、品種、および値段を各商品毎に並べ、商品合計金額とともに表示させるとともに、金券１０の有無の操作入力を促す表示を表示させる（ステップＳ５）。これを見て係員が顧客に対して商品合計金額を告げることになり、この商品合計金額に対して、顧客が代金を現金および金券の少なくともいずれか一方によって係員に支払う。
【００２８】
係員は、受け取った代金の合計金額を確認した上で、受け取った代金に金券１０が含まれる場合は、金券１０を金券入金処理部１２の金券受入部４０に載置させて、表示操作部３２に、金券有りを操作入力する（ステップＳ６）。すると、ＰＯＳレジスタ１４のレジ制御部３５が、金券読取指令を、金券入金処理部１２の金券入金制御部４４に出力する（ステップＳ７）。
【００２９】
金券読取指令を受けて、金券入金処理部１２の金券入金制御部４４は、ＲＦＩＤリーダ４１を駆動して金券受入部４０上のすべての金券１０のＲＦＩＤタグ２１と通信し、すべてのＩＣチップ２０から金券情報を読み取ることになり、額面毎の枚数を含むすべての金券情報をＰＯＳレジスタ１４のレジ制御部３５に出力する。金券情報を受けて（ステップＳ８）、レジ制御部３５は、金券情報に含まれる金券１０の額面（金種）および金券識別番号を表示操作部３２に表示させるとともに、金券の枚数の入力を促す表示を表示操作部３２に表示させる（ステップＳ９）。さらに、レジ制御部３５は、ＲＦＩＤリーダ４１で読み込んだ金券の枚数を特定する（ステップＳ１０）。
【００３０】
表示操作部３２の表示を見た係員によって、金券の枚数が表示操作部３２に入力されることになる。つまり、表示操作部３２（金券枚数入力手段）は、係員（ユーザ）による金券の枚数の入力を受け付ける。
【００３１】
表示操作部３２に金券の枚数が入力されると（ステップＳ１１）、レジ制御部３５（金券枚数特定手段，第２の判断手段）は、ＲＦＩＤリーダ４１の読み込みによって特定された金券の枚数と、表示操作部３２に入力された金券の枚数とが一致するか否かを判断する（ステップＳ１２）。これらが一致しない場合、レジ制御部３５は、表示操作部３２に金券が適正でない旨のエラー表示をさせて（ステップＳ１３）、再度金券の計数の確認等を促すとともに、ステップＳ５に戻る。
【００３２】
ＲＦＩＤリーダ４１の読み込みによって特定された金券の枚数と、表示操作部３２に入力された金券の枚数とが一致する場合に、レジ制御部３５（金券金額算出手段）は、読取制御部３０から出力された金券情報に含まれる金券１０の額面から、金券受入部４０に載置されたすべての金券１０の額面を加算した金券合計金額を算出する（ステップＳ１４）。そして、算出した金券合計金額と、現金の有無の操作入力を促す表示を表示操作部３２に表示させる（ステップＳ１５）。
【００３３】
現金による支払いがある場合、係員は、表示操作部３２に現金有りの操作入力を行うことになり、表示操作部３２に現金有りの操作入力を受けると（ステップＳ１６）、レジ制御部３５が、表示操作部３２に現金の合計の金額である現金合計金額の操作入力を促す表示を表示させる（ステップＳ１７）。係員により、表示操作部３２に現金合計金額の操作入力がなされると（ステップＳ１８）、レジ制御部３５は、金券合計金額と、入力された現金合計金額とから、これらを加算した合計の入金合計金額（支払金額）を算出する（ステップＳ１９）。なお、このとき、係員の確認による金券合計金額と現金合計金額とを合わせた入金合計金額（支払金額）を表示操作部３２に入力させるようにしても良い。
【００３４】
現金による支払いがない場合、つまり金券のみで代金が支払われる場合、係員は、ステップＳ１６において、表示操作部３２に現金なしの操作入力を行うことになり、これを受けて、レジ制御部３５が、金券合計金額をそのまま入金合計金額（支払金額）とする（ステップＳ２０）。
【００３５】
また、金券による支払いがない場合、係員は、ステップＳ６において、表示操作部３２に金券なしの操作入力を行うことになり、これを受けて、レジ制御部３５が、表示操作部３２に現金合計金額の操作入力を促す表示を表示させる（ステップＳ２１）。係員により、表示操作部３２に現金合計金額の操作入力がなされると（ステップＳ２２）、レジ制御部３５は、入力された現金合計金額をそのまま入金合計金額（支払金額）とする（ステップＳ２３）。
【００３６】
レジ制御部３５は、代金が現金と金券とで支払われるステップＳ１９、代金が金券のみで支払われるステップＳ２０および代金が現金のみで支払われるステップＳ２３のいずれかの後に、上記のステップＳ４において商品情報読取装置１６の読取制御部３０から入力された商品合計金額よりも、入金合計金額が大きいか否かを判断する（ステップＳ２４）。なお、金券のみで支払いが行われる場合、入金合計金額は金券合計金額であるため、結果として、レジ制御部３５（第１の判断手段）は、商品合計金額よりも金券合計金額が大きいか否かを判断することになる。
【００３７】
入金合計金額が商品合計金額以下の場合に、レジ制御部３５は、入金合計金額が商品合計金額と等しいか否かを判定し（ステップＳ２５）、入金合計金額が商品合計金額と等しければ、表示操作部３２に承認操作を促す表示を表示させる（ステップＳ２６）。
【００３８】
係員が、表示操作部３２の表示にしたがって、ＰＯＳレジスタ１４の表示操作部３２に、承認の操作入力を入力すると（ステップＳ２７）、レジ制御部３５は、ステップＳ６において金券有りが入力されている場合（ステップＳ２８）、金券入金制御部４４に対して承認指令信号を出力する（ステップＳ２９）。すると、レジ制御部３５から承認指令信号を受けた金券入金制御部４４が、金券受入部４０上の金券１０を送出部４２によって金券収納部４３に収納することになり、収納完了後、収納完了信号をレジ制御部３５に出力する。
【００３９】
ステップＳ２８において、金券有りが入力されていない場合およびステップＳ２９の後に収納完了信号が入力された場合（ステップＳ３０）、レジ制御部３５は、今回の処理に関連して、読取制御部３０から出力された商品情報および商品合計金額と、金券入金制御部４４から出力された額面および金券識別番号を含む金券情報および金券合計金額と、算出した入金合計金額とを、販売管理データとして、今回の処理に対して割り当てられた処理識別番号および処理の実行時刻と関連付けして記憶部３４に記憶するとともにレシートを発行して（ステップＳ３１）、今回の処理を終了する。
【００４０】
なお、係員が、ステップＳ２７において上記した承認の操作入力するのではなくキャンセルの操作入力を表示操作部３２に入力すると（ステップＳ３２）、レジ制御部３５は、今回の処理に関連する情報を記憶部３４に記憶することなく、今回の処理を終了する。
【００４１】
また、ステップＳ２５において、入金合計金額が商品合計金額よりも小さい場合、表示操作部３２に代金の追加を促す表示を含むエラー表示を表示させることになり（ステップＳ３３）、その後、ステップＳ５に戻る。
【００４２】
ステップＳ２４において、入金合計金額が商品合計金額よりも大きい場合に、レジ制御部３５は、入金合計金額から商品合計金額を減算した釣銭金額を算出する（ステップＳ３４）。なお、金券のみで支払いが行われる場合、入金合計金額は金券合計金額であるため、結果として、レジ制御部３５（釣銭金額算出手段）は、金券合計金額が商品合計金額よりも大きい場合に、金券合計金額から商品合計金額を減算した釣銭金額を算出することになる。加えて、ＲＦＩＤリーダ４１が読み込んで読取制御部３０から出力されたすべての金券情報から、レジ制御部３５（最小額面特定手段）は、金券受入部４０に受け入れた金券の最小額面を特定する（ステップＳ３５）。
【００４３】
レジ制御部３５（第３の判断手段）は、算出された釣銭金額が、金券の最小額面より小さいか否かを判断し（ステップＳ３６）、釣銭金額が金券の最小額面以上の場合、表示操作部３２に金券が適正でない旨のエラー表示をさせることになり（ステップＳ３７）、その後、ステップＳ５に戻る。
【００４４】
ステップＳ３６で、釣銭金額が金券の最小額面よりも小さい場合、レジ制御部３５は、表示操作部３２に入金合計金額、商品合計金額および釣銭金額と、承認操作を促す表示とを表示させる（ステップＳ３８）。
【００４５】
係員が、表示操作部３２の入金合計金額、商品合計金額および釣銭金額を確認して、ＰＯＳレジスタ１４の表示操作部３２に、承認の操作入力を入力すると（ステップＳ３９）、レジ制御部３５は、ステップＳ３４で算出した釣銭金額から、合計がこの釣銭金額となり且つ枚数が最小となる硬貨の金種別の枚数と紙幣の金種別の枚数とを割り出す（ステップＳ４０）。
【００４６】
そして、レジ制御部３５は、ステップＳ６において金券有りが入力されている場合（ステップＳ４１）、金券入金制御部４４に対して承認指令信号を出力する（ステップＳ４２）。すると、レジ制御部３５から承認指令信号を受けた金券入金制御部４４（収納制御手段）が、金券受入部４０上の金券１０を送出部４２によって金券収納部４３に収納することになり、収納完了後、収納完了信号をレジ制御部３５に出力する。
【００４７】
ステップＳ４１において、金券有りが入力されていない場合およびステップＳ４２の後に収納完了信号が入力された場合（ステップＳ４３）、レジ制御部３５は、硬貨出金制御部５４に対して釣銭金額を構成する硬貨の金種別の枚数を含む硬貨出金指令信号を出力し、紙幣出金制御部６０に対して釣銭金額を構成する紙幣の金種別の枚数を含む紙幣出金指令信号を出力する（ステップＳ４４）。
【００４８】
レジ制御部３５から硬貨出金指令信号を受けた硬貨出金制御部５４（出金制御手段）は、少なくとも入力された金種別の枚数の硬貨を硬貨出金収納部５０から出金させることになり、硬貨出金識別部５１で出金不可と判断された硬貨を出金硬貨リジェクト（ＲＪ）部５２に収納する一方、硬貨出金識別部５１で出金可と判断された硬貨を硬貨出金部５３に出金する。このようにして、合計金額が釣銭金額のうちの硬貨分の金額となり釣銭枚数が最小限になる組み合わせの硬貨が釣銭硬貨として硬貨出金部５３に出金されることになり、出金完了後、硬貨出金完了信号をレジ制御部３５に出力する。
【００４９】
また、レジ制御部３５から紙幣出金指令信号を受けた紙幣出金制御部６０も、少なくとも入力された金種別の枚数の紙幣を紙幣出金収納部５６から出金させることになり、紙幣出金識別部６５で出金不可と判断された紙幣を出金紙幣リジェクト（ＲＪ）部５８に収納する一方、紙幣出金識別部６５で出金可と判断された紙幣を紙幣出金部５９に出金する。このようにして、合計金額が釣銭金額のうちの紙幣分の金額となり釣銭枚数が最小限になる組み合わせの紙幣が釣銭紙幣として紙幣出金部５９に出金されることになり、出金完了後、紙幣出金完了信号をレジ制御部３５に出力する。
【００５０】
以上のようにして、釣銭金額の釣銭の出金が完了して、硬貨出金完了信号および紙幣出金完了信号が入力されると（ステップＳ４５）、レジ制御部３５（商品金額入力手段）は、今回の処理に関連して、読取制御部３０から出力された商品情報および商品合計金額と、金券入金制御部４４から出力された額面（金種）および金券識別番号を含む金券情報および金券合計金額と、算出した入金合計金額および釣銭金額とを、販売管理データとして、今回の処理に対して割り当てられた処理識別番号および処理の実行時刻と関連付けして記憶部３４に記憶するとともにレシートを発行して（ステップＳ４６）、今回の処理を終了する。
【００５１】
レシートが発行されると、係員は、このレシートとともに、硬貨出金部５３に釣銭硬貨がある場合にはこの釣銭硬貨を、紙幣出金部５９に釣銭紙幣がある場合にはこの釣銭紙幣を顧客に渡すことになる。
【００５２】
上記のような販売管理データが、複数の販売管理装置１１から、共用の管理サーバ３７に定期的に送信されて管理される。
【００５３】
なお、係員が、ステップＳ３９において上記した承認の操作入力するのではなくキャンセルの操作入力を表示操作部３２に入力すると（ステップＳ４７）、レジ制御部３５は、今回の処理に関連する情報を記憶部３４に記憶することなく、今回の処理を終了する。
【００５４】
以上に述べた本実施形態によれば、金券１０のみで代金が支払われる場合に、金券１０を金券受入部４０に受け入れると、受け入れた金券１０に埋め込まれたＩＣチップ２０からＲＦＩＤリーダ４１が金券情報を読み込むことになり、この読み込んだ金券情報から、レジ制御部３５が金券合計金額を算出する。そして、レジ制御部３５が、この金券合計金額と、商品情報読取装置１６から出力された商品合計金額とを比較し、金券合計金額が商品合計金額よりも大きいと判断した場合に、金券合計金額から商品合計金額を減算した釣銭金額を算出する。したがって、係員が金券合計金額および釣銭を算出する必要がなくなり、係員の手間を省くことができる。
【００５５】
また、ＲＦＩＤリーダ４１によって読み込んだ金券情報から金券１０の枚数を特定すると、レジ制御部３５は、この金券情報に基づく金券の枚数と表示操作部３２に係員によって入力された金券の枚数とが一致するか否かを判断する。よって、金券の枚数が適正であるか否かを判断できる。
【００５６】
また、ＲＦＩＤリーダ４１によって読み込んだ金券情報から、レジ制御部３５は、金券受入部４０に受け入れた金券の最小額面を特定するとともに、算出した釣銭金額が、この特定された最小額面より小さいか否かを判断するため、釣銭金額が最小額面より小さければ釣銭の支払いが適正であり、釣銭金額が最小額面以上であれば釣銭の支払いが適正でないと判断できる。
【００５７】
また、レジ制御部３５によって釣銭金額が最小額面よりも小さいと判断された場合に、金券入金制御部４４が、金券受入部４０に受け入れた金券を収納することになる。よって、釣銭の支払いが適正であると判断したときのみ、金券を収納することができる。
【００５８】
また、レジ制御部３５によって釣銭金額が最小額面よりも小さいと判断された場合に、硬貨出金制御部５４および紙幣出金制御部６０がこの釣銭金額の釣銭を出金させることになる。よって、釣銭の支払いが適正であると判断したときのみ、釣銭を出金させることができる。
【００５９】
なお、ＲＦＩＤリーダ４１に代えてＲＦＩＤリーダライタを設けて、金券受入部４０に載置された金券１０を収納する際に、それぞれのＩＣチップ２０に使用済みである旨を書き込むようにしても良い。
【００６０】
また、ＩＣチップを搭載していない金券、電子マネー等を代金として使用することも可能であり、ＩＣチップを搭載していない金券を入金する場合、これを上記現金と同様に扱って、ＰＯＳレジスタ１４の表示操作部３２に入金額を手入力させれば良い。
【図面の簡単な説明】
【００６１】
【図１】本発明の金券処理装置の一実施形態である販売管理装置を概略的に示す構成図である。
【図２】同販売管理装置で処理される金券を概略的に示す図である。
【図３】同販売管理装置で処理される商品を概略的に示す図である。
【図４】同販売管理装置のレジ制御部の制御内容の一部を示すフローチャートである。
【図５】同販売管理装置のレジ制御部の制御内容の一部を示すフローチャートである。
【図６】同販売管理装置のレジ制御部の制御内容の一部を示すフローチャートである。
【符号の説明】
【００６２】
１０  金券
１１  販売管理装置（金券処理装置）
１５  商品
２０  ＩＣチップ
３２  表示操作部（金券枚数入力手段）
３５  レジ制御部（商品金額入力手段，金券金額算出手段，第１の判断手段，釣銭金額算出手段，金券枚数特定手段，第２の判断手段，最小額面特定手段，第３の判断手段）
４０  金券受入部
４１  ＲＦＩＤリーダ（読込手段）
４４  金券入金制御部（収納制御手段）
５４  硬貨出金制御部（出金制御手段）
６０  紙幣出金制御部（出金制御手段）
【図１】
2009070151.tif 000003
【図２】
2009070151.tif 000004
【図３】
2009070151.tif 000005
【図４】
2009070151.tif 000006
【図５】
2009070151.tif 000007
【図６】
2009070151.tif 000008